【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
交換レンズ装置が少なくとも１つのアダプタ装置を介して接続可能なカメラであって、
カメラ−レンズ通信チャネルを用いて、前記交換レンズ装置との通信を行うレンズ−カメラ通信制御部と、
前記カメラ−レンズ通信チャネルとは別に設けられたカメラ−アダプタ通信チャネルを用いて、前記アダプタ装置との間で通信を行うアダプタ−カメラ通信制御部とを有し、
前記カメラ−レンズ通信チャネルは、データ通信時に用いられる第１のデータ通信ラインと、前記カメラ−レンズ通信チャネルを用いた前記カメラと前記交換レンズの通信のタイミングの通知に用いられる第１の通知ラインとを含み、
前記カメラ−アダプタ通信チャネルは、データ通信時に用いられる第２のデータ通信ラインと、前記カメラ−アダプタ通信チャネルを用いた前記カメラと前記アダプタの通信のタイミングの通知に用いられる第２の通知ラインとを含むことを特徴とするカメラ。
【請求項２】
前記レンズ−カメラ通信制御部は、前記アダプタ−カメラ通信制御部が通信中であるか否かにかかわらず、通信を行うことを特徴とする請求項１に記載のカメラ。
【請求項３】
前記カメラ−レンズ通信チャネルを介した通信と前記カメラ−アダプタ通信チャネルを介した通信は、通信方式、通信タイミング、通信レートおよび通信電圧のうち少なくとも１つが互いに異なることを特徴とする請求項１または２に記載のカメラ。
【請求項４】
前記レンズ−カメラ通信制御部は、前記交換レンズ装置に対して、該交換レンズ装置の動作を制御するためのレンズ制御コマンドを送信することを特徴とする請求項１から３のいずれか一項に記載のカメラ。
【請求項５】
前記アダプタ−カメラ通信制御部は、前記アダプタ装置から、該アダプタ装置の固有情報を受信することを特徴とする請求項１から４のいずれか一項に記載のカメラ。
【請求項６】
前記固有の情報は、前記アダプタ装置の光学データを含むことを特徴とする請求項５に記載のカメラ。
【請求項７】
前記アダプタ−カメラ通信制御部は、前記アダプタ装置から、該アダプタ装置に対するユーザ操作を示す操作データを受信することを特徴とする請求項１から６のいずれか一項に記載のカメラ。
【請求項８】
前記レンズ−カメラ通信制御部は、前記カメラ−レンズ通信チャネルにおいて前記交換レンズ装置が使用する通信電圧を検出し、該検出の結果に応じて前記カメラ−レンズ通信チャネルにおける前記交換レンズ装置との通信に使用する通信電圧を設定することを特徴とする請求項１から７のいずれか一項に記載のカメラ。
【請求項９】
前記アダプタ−カメラ通信制御部は、前記カメラ−アダプタ通信チャネルを介して、前記交換レンズ装置から該交換レンズ装置に関するデータを受信することを特徴とする請求項１から８のいずれか一項に記載のカメラ。
【請求項１０】
前記レンズ−カメラ通信制御部および前記アダプタ−カメラ通信制御部はそれぞれ、前記交換レンズ装置および前記アダプタ装置を個別に、通信を行う第１の状態から通信を行わない第２の状態に移行させるための通信を行うことを特徴とする請求項１から９のいずれか一項に記載のカメラ。
【請求項１１】
前記レンズ−カメラ通信制御部は、前記交換レンズ装置を前記第２の状態から前記第１の状態に移行させるレンズ起動信号または前記交換レンズ装置から出力される該交換レンズ装置の前記第２の状態から前記第１の状態への移行を要求するレンズ起動要求信号を、前記カメラ−レンズ通信チャネルを介して、前記第１の状態での通信とは異なる伝達方式で前記交換レンズ装置との間で伝達することを特徴とする請求項１０に記載のカメラ。
【請求項１２】
前記アダプタ−カメラ通信制御部は、前記アダプタ装置を前記第２の状態から前記第１の状態に移行させるアダプタ起動信号または前記アダプタ装置から出力される該アダプタ装置の前記第２の状態から前記第１の状態への移行を要求するアダプタ起動要求信号を、前記カメラ−アダプタ通信チャネルを介して、前記第１の状態での通信とは異なる伝達方式で前記アダプタ装置との間で伝達することを特徴とする請求項１０または１１に記載のカメラ。
【請求項１３】
前記第２の状態は、前記第１の状態より消費電力が低い状態であることを特徴とする請求項１０から１２のいずれか一項に記載のカメラ。
【請求項１４】
アダプタ−カメラ通信制御部は、前記交換レンズと前記少なくとも１つのアダプタ装置と前記カメラとの間で通信するために用いられる第１通信方式と、前記交換レンズおよび前記少なくとも１つのアダプタ装置のうちのいずれかと個別に通信するために用いられ、通信相手にデータを送信している間の前記第２の通知ラインの電圧レベルが前記第１通信方式とは異なる第２通信方式とに切り替え可能であることを特徴とする請求項１から１３のいずれか一項に記載のカメラ。
【請求項１５】
アダプタ−カメラ通信制御部は、前記第１通信方式においてデータを送信している間の前記第２の通知ラインの電圧レベルを第１のレベルとし、前記第２通信方式においてデータを送信している間の前記第２の通知ラインの電圧レベルを前記第１のレベルよりも高い第２のレベルとすることを特徴とする請求項１４に記載のカメラ。
【請求項１６】
アダプタ−カメラ通信制御部は、前記第１通信方式において、前記第２通信方式における前記カメラの通信相手を示す通信相手指定データを前記第２のデータ通信ラインを介して送信することを特徴とする請求項１４または１５に記載のカメラ。
【請求項１７】
請求項１から１６のいずれか一項に記載のカメラと、
前記カメラに接続される交換レンズと、
前記カメラに接続され、前記交換レンズが接続されるアダプタ装置とを有することを特徴とするカメラシステム。
【請求項１８】
カメラと交換レンズを接続可能なアダプタ装置であって、
前記カメラと前記交換レンズとで通信を行うためのカメラ−レンズ通信チャネルの一部を形成する中継チャネルと、
前記カメラとの間に前記中継チャネルとは別に設けられたカメラ−アダプタ通信チャネルを用いて前記カメラとの間で通信を行うアダプタ−カメラ通信制御部とを有し、
前記カメラ−レンズ通信チャネルは、データ通信時に用いられる第１のデータ通信ラインと、前記第１のデータ通信チャネルを介した通信のタイミングの通知に用いられる第１の通知ラインとを含み、
前記カメラ−アダプタ通信チャネルは、データ通信時に用いられる第２のデータ通信ラインと、前記カメラ−アダプタ通信チャネルを用いた前記カメラと前記アダプタの通信のタイミングの通知に用いられる第２の通知ラインとを含むことを特徴とするアダプタ装置。
【請求項１９】
前記アダプタ通信制御部は、前記交換レンズ装置との間に前記中継チャネルとは別に設けられたレンズ−アダプタ通信チャネルを介して前記交換レンズ装置との通信を行うことを特徴とする請求項１８に記載のアダプタ装置。
【請求項２０】
交換レンズ装置が少なくとも１つのアダプタ装置を介して接続可能なカメラのコンピュータに処理を実行させるコンピュータプログラムであって、
前記処理は、
カメラ−レンズ通信チャネルを用いて前記交換レンズ装置との通信を行い、かつ、前記アダプタ装置との間に前記カメラ−レンズ通信チャネルとは別に設けられたカメラ−アダプタ通信チャネルを用いて前記アダプタ装置との間で通信を行う処理と、
前記交換レンズ装置との通信により得られたデータを用いて前記交換レンズの動作を制御し、前記アダプタ装置との通信により得られたデータを用いて前記アダプタ装置の動作を制御する処理とを含み、
前記カメラ−レンズ通信チャネルは、データ通信時に用いられる第１のデータ通信ラインと、前記カメラ−レンズ通信チャネルを用いた前記カメラと前記交換レンズの通信のタイミングの通知に用いられる第１の通知ラインとを含み、
前記カメラ−アダプタ通信チャネルは、データ通信時に用いられる第２のデータ通信ラインと、前記カメラ−アダプタ通信チャネルを用いた前記カメラと前記アダプタの通信のタイミングの通知に用いられる第２の通知ラインとを含むことを特徴とする撮像制御プログラム。
【手続補正２】
【補正対象書類名】明細書
【補正対象項目名】発明の名称
【補正方法】変更
【補正の内容】
【発明の名称】カメラ、アダプタ装置、及び撮像制御プログラム
【手続補正３】
【補正対象書類名】明細書
【補正対象項目名】０００６
【補正方法】変更
【補正の内容】
【０００６】
本発明は、カメラと交換レンズ装置との間の通信を高速化しつつ、カメラとアダプタ装置との間の通信もスムーズに行えるようにしたカメラおよびアダプタ装置を提供する。
【手続補正４】
【補正対象書類名】明細書
【補正対象項目名】０００７
【補正方法】変更
【補正の内容】
【０００７】
本発明の一側面としてのカメラは、交換レンズ装置が少なくとも１つのアダプタ装置を介して接続可能である。カメラは、カメラ−レンズ通信チャネルを用いて、交換レンズ装置との通信を行うレンズ−カメラ通信制御部と、カメラ−レンズ通信チャネルとは別に設けられたカメラ−アダプタ通信チャネルを用いて、アダプタ装置との間で通信を行うアダプタ−カメラ通信制御部とを有する。カメラ−レンズ通信チャネルは、データ通信時に用いられる第１のデータ通信ラインと、カメラ−レンズ通信チャネルを用いたカメラと交換レンズの通信のタイミングの通知に用いられる第１の通知ラインとを含み、カメラ−アダプタ通信チャネルは、データ通信時に用いられる第２のデータ通信ラインと、カメラ−アダプタ通信チャネルを用いたカメラとアダプタの通信のタイミングの通知に用いられる第２の通知ラインとを含むことを特徴とする。
【手続補正５】
【補正対象書類名】明細書
【補正対象項目名】０００９
【補正方法】変更
【補正の内容】
【０００９】
また、本発明の他の一側面としてのアダプタ装置は、カメラと交換レンズを接続可能である。アダプタ装置は、カメラと交換レンズとで通信を行うためのカメラ−レンズ通信チャネルの一部を形成する中継チャネルと、カメラとの間に中継チャネルとは別に設けられたカメラ−アダプタ通信チャネルを用いて、カメラとの間で通信を行うアダプタ−カメラ通信制御部とを有する。カメラ−レンズ通信チャネルは、データ通信時に用いられる第１のデータ通信ラインと、第１のデータ通信チャネルを介した通信のタイミングの通知に用いられる第１の通知ラインとを含み、カメラ−アダプタ通信チャネルは、データ通信時に用いられる第２のデータ通信ラインと、カメラ−アダプタ通信チャネルを用いたカメラとアダプタの通信のタイミングの通知に用いられる第２の通知ラインとを含むことを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明の他の一側面としてのコンピュータプログラムは、交換レンズ装置が少なくとも１つのアダプタ装置を介して接続可能なカメラのコンピュータに処理を実行させる。処理は、カメラ−レンズ通信チャネルを用いて交換レンズ装置との通信を行い、かつ、アダプタ装置との間にカメラ−レンズ通信チャネルとは別に設けられたカメラ−アダプタ通信チャネルを用いてアダプタ装置との間で通信を行う処理と、交換レンズ装置との通信により得られたデータを用いて交換レンズの動作を制御し、アダプタ装置との通信により得られたデータを用いてアダプタ装置の動作を制御する処理とを含む。カメラ−レンズ通信チャネルは、データ通信時に用いられる第１のデータ通信ラインと、カメラ−レンズ通信チャネルを用いたカメラと交換レンズの通信のタイミングの通知に用いられる第１の通知ラインとを含み、カメラ−アダプタ通信チャネルは、データ通信時に用いられる第２のデータ通信ラインと、カメラ−アダプタ通信チャネルを用いたカメラとアダプタの通信のタイミングの通知に用いられる第２の通知ラインとを含むことを特徴とする。
【手続補正９】
【補正対象書類名】明細書
【補正対象項目名】００１３
【補正方法】変更
【補正の内容】
【００１３】
本発明によれば、カメラと交換レンズ装置との間の通信を高速化しつつ、カメラとアダプタ装置との間の通信も行えるようにしたカメラおよびアダプタ装置を実現することができる。